(57)【特許請求の範囲】
【請求項１】
板のー端に長尺パイプを直立に固定し、この長尺パイプの上端部に短尺保持パイプを重ねかぶせて固定し、この短尺保持パイプをアーム基盤の端部に固定し、このアーム基盤の先端部の穴に短尺パイプを入れて垂直に固定し、この短尺パイプ内の上端部と下端部とにベアリングを嵌め入れ、これらベアリングの回転軸としてパイプシャフトを固定し、このパイプシャフトの中間部分の外径にスプロケットを固定し、このスプロケットにからむチエーンを短尺パイプの横にあけた開口部から出してアーム基盤上で垂直に固定する回転軸に付けたスプロケットにからめてある、又短尺パイプの上端と短尺保持パイプの上端とに補強アングルの両端を載せ、載せた箇所を固定して補強アングルとアーム基盤をー体強化し、この補強アングルの両端部の双方に外輪溝付きリングを取り付け、この双方の外輪溝付きリングから下げる牽引糸は長尺パイプの内径内とパイプシャフトの内径内との双方に下げ、このパイプシャフトの内径内に下げる牽引糸は異形平角管内に下げて頚部装着用具に接続し、他方長尺パイプ内に下げた牽引糸は中心に糸穴をあけた多数の重しの糸穴に通して一番下の重しに接続して各重しと頚部を天秤状態にし、又短尺保持パイプの下に位置する長尺パイプにあけた角穴内に短尺平角管を開放された両端を上下にした状態で入れて長尺パイプから少し出して固定し、この短尺平角管内に回転自在に取り付けた外輪溝付きリングの溝にかけて下げる天秤糸は2本であり、その1本は長尺パイプ内を下がって重しを吊り下げ、他の1本は長尺パイプの外側面に沿って下がり杖の上端に接続し、杖は足踏み板に固定したパイプに差し込んで直立させ足踏み板と重しとを天秤糸でつないで天秤状態にし、その足踏み板を踏み止るまで踏むと天秤糸と牽引糸とで吊り下がる長尺パイプ内の全重しは上昇し一番上の重しの上端が短尺平角管の下端に当って全重しはー定の位置に整列して止まり、整列した各重しが重なる各位置それぞれで長尺パイプの横側面にピン穴を貫通させ、1個の重しの上下左右4箇所に平たいピンを刺し入れて1個の重しを長尺パイプ内に位置止めし、この位置止めした1個の重しから下に位置する各重しの総重量が牽引力とし、他方長尺パイプの短尺平角管から下端までの外側面に縦に細い角棒を固定し、この細い角棒を内径の隙間に入れて長尺パイプの外側面を上下にスライドし、この内輪短尺パイプの外側面に短尺丸棒を左右対称に1本ずつ縦に配置し、この短尺丸棒の上端と下端それぞれに平たいピンを固定し、この平たいピンの上端のピン先から下端のピン先までの間隔を重し1個の縦の長さと同じにし、その長さは長尺パイプにあけたピン穴からピン穴までの縦の長さとも同じにし、その長さは内輪短尺パイプの上端部のピン穴から下端部のピン穴までの縦の長さとも同じにし、その内輪短尺パイプのピン穴の回りをコの字形の金物で囲って金物を内輪短尺パイプに固定し、このコの字形の金物が囲う囲いの中に短尺丸棒の両端に固定した平たいピンの先を入れて収め、これらの短尺丸棒を外側面に配置させた内輪短尺パイプを内径内に入れる外輪短尺パイプの上端面と下端面に蓋をしてネジで止めし、その下蓋と外輪短尺パイプの外周の縦側面を均等に凸凹にして回しやすくし、又上蓋の外周は円形でー箇所を削除して凹にし、その上蓋の凹部分に載せたストッパー板の凸部分が嵌り落ちて外輪短尺パイプは回せなくなり、その凸部分を指で押し上げる事で外輪短尺パイプを回せるようになり、その外輪短尺パイプの内径面に半周分の長さのクサビを二つずつ内径面に対称に固定し、その外輪短尺パイプを半回転する事でクサビの厚みが薄い箇所から分厚い箇所へと短尺丸棒に当る箇所が変化し、その変化でクサビの分厚い箇所に押される短尺丸棒の両端の平たいピンは内輪短尺パイプのピン穴と長尺パイプのピン穴と各重しの重なりにできる窪みとを突き刺し、刺した1個の重しの総重量を牽引力とする電動頚部牽引機。
【請求項２】
パイプシャフトの下端面を異形平角管の端部の上板に固定している為パイプシャフトが回ると異形平角管の先端は輪を描くように旋回し、その異形平角管内の上板には固定枠を固定し、この固定枠内には回転自在に外輪溝付きリングを固定し、この固定枠の斜め下に位置する異形平角管内の底板の上に移動枠を配置し、この移動枠内のナツト部分にネジ入れたボールネジを回すと移動枠は移動し、その移動枠内に固定する外輪溝付きリングと固定枠内の外輪溝付きリングとの間を下がる牽引糸はボールネジを回す事で移動枠内の外輪溝付きリングの溝は牽引糸を引っかけたまま先端方向に移動し、移動する牽引糸は異形平角管の底板に長手方向にあけた隙間から下がって患者が装着する頚部装着用具に接続し、その異形平角管内の固定枠と移動枠を交差させる事で牽引糸に牽引角度が生じるようにした請求項1の電動頚部牽引機の牽引角度調節方法。
【請求項３】
短尺保持パイプの外径に固定した板にスピードコントロールギアモーターの出力軸を上に向けて固定し、この出力軸をアーム基盤にあけた穴に下から入れてアーム基盤上に出し、出した出力軸に小さい平歯車を付け、そのアーム基盤上に二つの大口径短尺パイプを隣接して直立に配置し、その二つの大口径短尺パイプそれぞれの内径にベアリング（超薄肉形球軸受）を嵌め入れ、この二つのベアリングそれぞれの内径には中口径短尺パイプを嵌め入れ、この二つの中口径短尺パイプそれぞれをアーム基盤に固定し、その二つの大口径短尺パイプそれぞれの外径下端に取り付けるリングギヤの歯車を互いにかみ合わせて互いに逆回転させ、かみ合わせた下端の二つのリングギヤの一つに出力軸に固定した平歯車をかみ合わせて動力を伝達し、又二つの大口径短尺パイプそれぞれの上端と上端とに付けたリングギヤの外周は175度以下の角度範囲だけに歯を付けて互いの歯をかみ合えない位置に固定し、この175度以下の角度範囲に歯を付けたリングギヤの歯車と歯車との間に位置させる小さい平歯車は175度以下の右回転の歯と175度以下の左回転の歯に交互にかみ合わさり、この小さい平歯車は右や左に交互に回転し、この平歯車と同じ回転軸に付けたスプロケットも右や左に交互に回転し、このスプロケットにからむチエーンはアーム基盤の先端部に垂直に固定した短尺パイプ内のパイプシャフトを回転軸にするスプロケットにからんでパイプシャフトを右や左に回転させ、そのパイプシャフトの下端に固定した異形平角管と牽引糸を右や左に旋回できるようにした請求項1の電動頚部牽引機の旋回方法。
【発明の詳細な説明】
【技術分野】
【０００１】
本発明は鞭打ち症、及び首コリ症等に使用する。
【背景技術】
【０００２】
世界の病院で使用される頚部牽引機はコンプレッサーによる空気圧力で牽引する頚部牽引機なので5ｋｇ以上の高い牽引力範囲だけで頚部を牽引する為、牽引治療による事故が心配されていた。
【先行技術文献】
【特許文献】
【０００３】
【特許文献１】なし
【発明の概要】
【発明が解決しようとする課題】
【０００４】
頭部の重さ2ｋｇ前後に対して病院で使用するコンプレッサーの空気圧力を利用した頚部牽引機は5ｋｇ以下の牽引力治療をする事ができず5ｋｇ以上の牽引力で牽引治療しており、5ｋｇ以上の牽引力に耐える事のできない患者では医療事故が心配され、0〜15ｋｇの安全な牽引力範囲を含む牽引ができる頚部牽引機が希望された
【課題を解決するための手段】
【０００５】
そして本発明は上記目的を達性するために、床に置く板のー端に長尺パイプを直立固定し、この長尺パイプの上端部に短尺保持パイプを重ねかぶせてネジで固定し、この短尺保持パイプをアーム基盤の端部に固定し、このアーム基盤の先端部分の穴に短尺パイプを入れて垂直に固定し、この短尺パイプ内の上端部と下端部とにベアリングを嵌め入れ、この二つのベアリングの回転軸にパイプシャフトを固定し、このパイプシャフトの中間部分の外径にスプロケットを固定し、このスプロケットにからむチエーンを短尺パイプの横にあけた開口部から出してアーム基盤上で垂直に固定する回転軸に付けたスプロケットにからめた。
【０００６】
短尺パイプの上端と短尺保持パイプの上端とに補強アングルの両端部を載せ、載せた箇所を固定して補強アングルとアーム基盤をー体強化し、この補強アングルの両端部の双方に外輪溝付きリングを取り付け、この双方の外輪溝付きリングにつながって双方に下がる牽引糸は長尺パイプの内径内とパイプシャフトの内径内との双方に下げ、そのパイプシャフトの内径内に下げる牽引糸は異形平角管内を下げて頚部装着用具に接続し、他方長尺パイプ内に下げた牽引糸は中心に糸穴をあけた多数の重しの糸穴を通して一番下の重しに接続し、この多数の重しと頚部を天秤状態にした。
【０００７】
短尺保持パイプの下に位置する長尺パイプの側面に角穴をあけ、この角穴内に短尺平角管を開放された両端を上下にして入れて長尺パイプの側面から少し出した状態で固定し、この短尺平角管内に回転自在に取り付けた外輪溝付きリングの溝にかけて下がる天秤糸は2本であり、その1本は長尺パイプ内を下がって重しを吊り下げ、他の1本は長尺パイプの外側面に沿って下がり杖の上端に接続し、杖は足踏み板に直立に固定し、足踏み板と重しとを天秤状態にし、その足踏み板を踏み止るまで踏むと天秤糸と牽引糸で吊り下がる全重しは上昇し一番上の重しの上端が短尺平角管の下端に当って全重しはー定の位置に整列し、整列した各重しの重なり面それぞれの位置で長尺パイプの横側面にはピン穴を貫通させ1個の重しの上下左右4箇所のピン穴に平たいピンを挿し入れる事で1個の重しを長尺パイプ内に位置止めし、この位置止めした1個の重しから下に位置する各重しの総重量を牽引力とした。
【０００８】
長尺パイプの短尺平角管から下端までの外側面に細い角棒を縦に固定し、その細い角棒を内径の隙間に入れて長尺パイプの外側面を内輪短尺パイプは上下にスライドし、この内輪短尺パイプの外側面に短尺丸棒を左右対称に1本ずつ縦に配置し、その短尺丸棒の上端と下端それぞれに平たいピンを固定し、この平たいピンの上端のピン先から下端のピン先までの間隔を重し1個の縦の長さと同じにし、その長さは重しの数だけ長尺パイプにあけたピン穴からピン穴までの縦の長さとも同じにし、その長さは内輪短尺パイプの上端部のピン穴から下端部のピン穴までの長さとも同じにし、その内輪短尺パイプのピン穴の回りをコの字形の金物で囲って固定し、このコの字形の金物が囲う囲いの中に短尺丸棒の上下両端に固定した平たいピンの先をはめ入れて内輪短尺パイプの外側面の縦に短尺丸棒を2本対称に配置し、この内輪短尺パイプを内径内に入れる外輪短尺パイプの上端面と下端面に蓋をしてネジ止めし、この下蓋と外輪短尺パイプとの外周の縦側面を均等に凹凸にし、また上蓋の外周は円形で円周のー箇所を削除して凹にし、この上蓋の凹部分に上蓋の上に載せた円形板のストッパーの凸部分が落ちはまり外輪短尺パイプが回せなくなり、そのストッパーの凸部分を指で押し上げる事で外輪短尺パイプは回り、又ストッパーの円形板の内径には短尺パイプを固定し、この短尺パイプの内径の隙間に長尺パイプの細い角棒を入れて上下にスライドする。
【０００９】
外輪短尺パイプの内径面に半周分の長さのクサビを二つずつ内径面に対称に固定し、その外輪短尺パイプを半回転する事で内径面のクサビの厚みが薄い箇所から分厚い箇所へと内輪短尺パイプの短尺丸棒に当る箇所が変化し、その変化でクサビの分厚い箇所に中心方向に押される短尺丸棒の平たいピンは内輪短尺パイプのピン穴と長尺パイプのピン穴と各重しの重なりにできる窪みとを突き刺し、刺した1個の重しから下に位置する各重しの総重量を牽引力とする頚部牽引機。
【００１０】
パイプシャフトの下端面を異形平角管の端部の上板に固定し、そのパイプシャフトを回すと異形平角管の先端は輪を描くように旋回し、その異形平角管内の上板には固定枠を固定し、その固定枠内に外輪溝付きリングを回転自在に固定し、この固定枠の下で異形平角管内の底板の上に移動枠を配置し、この移動枠内のナツト部分にネジ入れたボールネジを回す事で移動枠は異形平角管内を長手方向に移動し、その移動枠内に固定する外輪溝付きリングと固定枠内の外輪溝付きリングとの間を下がる牽引糸はボールネジを回す事で移動枠内の外輪溝付きリングの溝は牽引糸を引っかけたまま先端方向に移動し、移動する牽引糸は異形平角管の底板に長手方向にあけた隙間から下がって患者が装着する頚部装着用具に接続し、その異形平角管内の固定枠と移動枠を交差させる事で牽引角度が生じるようにした。
【００１１】
短尺保持パイプの外径に固定した板にスピードコントロールギアモーターを上に向けて固定し、この出力軸をアーム基盤にあけた穴に下から入れてアーム基盤上に出し、出した出力軸に平歯車を付け、そのアーム基盤上に二つの大口径短尺パイプを隣接して直立に配置し、その二つの大口径短尺パイプそれぞれの内径にベアリング（超薄肉形球軸受）を嵌め入れ、この二つのベアリングそれぞれの内径に中口径短尺パイプを嵌め入れ、この二つの中口径短尺パイプそれぞれをアーム基盤に固定した。
【００１２】
二つの大口径短尺パイプそれぞれの外径下端に取り付けるリングギヤの歯車を互いにかみ合わせて互いに逆回転させ、かみ合わせた二つのリングギヤの一つに出力軸に固定した平歯車をかみ合わせて動力を伝達し、他方二つの大口径短尺パイプそれぞれの上端と上端とに付けたリングギヤの外周は175度以下の角度範囲だけに歯を付け、この二つの上端と上端とのリングギヤの歯は互いにかみ合えない位置に取り付けして互いに逆方向に回転させ、この175度以下の角度範囲に歯を付けた二つのリングギヤの歯車と歯車との間に配置させる小さい平歯車は175度以下の右回転の歯と175度以下の左回転の歯に交互にかみ合わさって平歯車は右や左に交互に回転し、この小さい平歯車と同じ回転軸に取り付けたスプロケットも右や左に交互に回転し、このスプロケットにからむチエーンはアーム基盤の先端部分に固定した短尺パイプ内のパイプシャフトを軸にするスプロケットにからんでパイプシャフトを右や左に交互に回転させ、そのパイプシャフトの下端面に固定した異形平角管と牽引糸を旋回させる電動頚部牽引機の旋回方法。
【発明の効果】
【００１３】
300ｇ以上からの安全な牽引力領域で牽引治療をする事ができ、患者に最適な牽引角度で牽引できるようにし、患者の頭上の牽引糸が輪を描くように左旋回と右旋回を交互に電動でできるようにし、コントローラーで旋回速度も調整できるようにした。
【図面の簡単な説明】
【００１４】
【図１】全体正面図
【図２】長尺パイプの下部分の断面図
【図３】足踏み板の斜視図
【図４】円形板の回りを帯状幅のリングで囲ったー端にパイプを直立固定した斜視図
【図５】長尺パイプの角穴内に短尺平角管を入れて固定した、正面図と側面図
【図６】長尺パイプ内の重しと外輪短尺パイプと内輪短尺パイプの縦断面図
【図７】長尺パイプと重しの横断面図
【図８】内輪短尺パイプと外輪短尺パイプと重しのY−Yの横断面図
【図９】内輪短尺パイプと平たいピン関連部材の斜視図
【図１０】平たいピンを両端に固定した短尺丸棒の縦断面図
【図１１】内輪短尺パイプのピン穴の位置を示す正面図
【図１２】外輪短尺パイプの下端面にネジで取り付ける下蓋の平面図と断面図
【図１３】外輪短尺パイプの上端面にネジで取り付ける上蓋の平面図と断面図
【図１４】外輪短尺パイプを半回転で止めるストッパー板の平面図と断面図
【図１５】カバーをはずしたアーム基盤全体の正面図
【図１６】カバーをはずしたアーム基盤全体の斜視図
【図１７】外周に175度以下の角度範囲に歯を付けたリングギヤの平面図とチエーンのからみ方を横から見た側面図
【図１８】上端と下端にリングギヤを固定した大口径短尺パイプとベアリングと中口径短尺パイプの組み立て手順の斜視図と断面図と側面図
【図１９】上端と下端のリングギヤの平面図
【図２０】異形平角管の断面図と頚部装着用具の斜視図
【図２１】異形平角管内の固定枠と移動枠の斜視図と断面図
【発明を実施するための形態】
【００１５】
以下、本発明の実施の形態で図1から21を基にして説明する、患者が座る椅子の下に置く円形板TSGの外周を帯状幅のリング板APSで囲い、この帯状幅のリング板APSのー端にパイプAPを直立させて固定し、この直立したパイプAPを長尺パイプAの内径内に入れて長尺パイプAを直立させてネジで止めし、その長尺パイプAの上端部分を短尺保持パイプAHの内径内に入れ重ねてボルトAHBで固定し、この短尺保持パイプAHをアーム基盤Eの端部の穴に入れてアーム基盤Eを水平に短尺保持パイプAHに固定し、このアーム基盤Eの先端部分の穴には短尺パイプHを入れて垂直に固定し、この短尺パイプHの内径内の上端部と下端部にはベアリングYBを嵌め入れ、このベアリングYBの内径にパイプシャフトQVを固定し、このパイプシャフトQVの中間部分で外径にはスプロケットQQを取り付け、このスプロケットQQにからむチエーンQTを短尺パイプHの横にあけた開口部HHから出してアーム基盤Eの盤上で垂直に固定した回転軸Yに付けたスプロケットQにからめてある。
【００１６】
アーム基盤Eの先端部分に固定した短尺パイプHの上端と短尺保持パイプAHの上端との双方に補強アングルLを載せ、この載せた箇所を溶接固定してアーム基盤Eと補強アングルLとをー体強化し、この補強アングルLの両端部分それぞれには外輪溝付きリングHKと外輪溝付きリングAHKを取り付けし、取り付けた二つの外輪溝付きリングにからめて双方から下げる牽引糸FはパイプシャフトVの内径内と長尺パイプAの内径内とに下がる。
【００１７】
長尺パイプAの内径内に下げる牽引糸Fは中心に糸穴AGAをあけた多数の重しAGの各糸穴AGA内を通して一番下の重しAGに接続し、他方パイプシャフトVの内径内に下げた牽引糸FはパイプシャフトVの下端面に固定した異形平角管K内を下げて患者が装着する頚部装着用具FYに接続し、この頚部装着用具FYを付けた頚部の重さと長尺パイプA内の各重しAGとを牽引糸でつなぎ外輪溝付きリングHKと外輪溝付きリングAHKを介して天秤状態にしてある。
【００１８】
パイプシャフトVの下端面に異形平角管Kを固定している箇所は異形平角管Kの端部分の上板に固定してある為パイプシャフトVを回すと異形平角管Kの先端は輪を描くように旋回する、この異形平角管K内の上板に固定枠1Kを固定し、この固定枠1K内に回転自在に固定する外輪溝付きリング3RKの溝の位置はパイプシャフトVの内径心を下がる牽引糸Fの位置にし、他方異形平角管K内の底板の上を長手方向に可動できる移動枠Rは移動枠R内部のナツト部分RNにネジ入れたボールネジ1Rを回転させる事で回転できない移動枠Rが長手方向を可動し、この移動枠R内の外輪溝付きリング3Rの溝と固定枠1K内の外輪溝付きリング3RKの溝との間を牽引糸FはパイプシャフトVの内径心から下がっており、このボールネジ1Rを回す事で移動枠Rは移動し移動枠R内の外輪溝付きリング3Rの溝は牽引糸Fを引っかけたまま異形平角管K内を先端方向に移動し、移動した位置で牽引糸Fは異形平角管Kの底板に長手方向にあけた隙間から角度をつけて下がり頚部装着用具FYに接続する、その時、頚部装着用具FYを装着した患者の頭部は牽引角度を有して傾いた状態になり、この傾いた頭部の状態で患者の頚部は重しAGの牽引力を受けたままパイプシャフトVが右や左に交互に回ると牽引糸Fが患者の頭上で右旋回と左旋回を交互に繰り返し患者の頭部も右旋回と左旋回を交互に繰り返し、ボールネジ1RをノブKWで回して移動枠Rを移動させる移動枠R内の外輪溝付きリング3Rにからめた牽引糸Fに牽引角度を生じさせるようにした電動頚部牽引機の牽引角度調節方法。
【００１９】
短尺保持パイプAHの下にコントローラー付きのスイッチEEを長尺パイプAに取り付けし、取り付けしたスイッチの下で長尺パイプAの側面には角穴を貫通し、この角穴内に開放された両端を上下にした状態で短尺平角管Cを入れ、この短尺平角管Cの半分前後が長尺パイプAの外に出る位置で溶接固定し、この短尺平角管Cの位置から下端までの長尺パイプAの外側面に細い角棒ABを縦に取り付けし、その短尺平角管C内には回転自在に外輪溝付きリングCMを固定し、この外輪溝付きリングCMの溝から滑車のように下げる天秤糸FTを長尺パイプAの内径内と長尺パイプAの外側面との双方に下げ、長尺パイプAの内径内に下げる天秤糸FTは短尺保持パイプの上端の外輪溝付きリングAHKから下がって短尺平角管C内の外輪溝付きリングCMの溝で牽引糸Fと合流し、合流した2本の糸を長尺パイプAの内径内で吊り下がる多数の重しAGそれぞれの中心穴AGAを通して一番下の重しAGに接続し、他方長尺パイプAの外側面に下げる天秤糸FTは患者が手を載せる杖BTの上端BTTに接続し、杖BTは患者と理学療法士が足を載せる足踏み板Bに直立に固定したパイプBTPに差し入れ、このパイプBTPと杖BTをネジで止めし、このように足踏み板Bと多数の重しは天秤糸FTでつながって外輪溝付きリングCMを支点に滑車のように天秤状態になり、又足踏み板Bの内径内に固定した短尺パイプBPは長尺パイプAの縦に付けた細い角棒ABと同じ幅の隙間を縦に有しており、この隙間にはスライドガイドを取り付けして長尺パイプAとの摩擦を少なくした。
【００２０】
足踏み板Bを踏むと天秤糸FTと牽引糸Fとで吊り下がる重しAGは長尺パイプ内を上がり牽引糸Fの牽引力は消失する、その足踏み板Bを踏み止るまで踏み下げると天秤糸FTでつながる多数の重しAGは長尺パイプA内を上昇して一番上の重しAGが短尺平角管Cの下端に当ってー定の位置に整列して多数の重しAGは止まる、そのー定の位置に整列した各重しAGには面取り加工してある各重しAGの各重なりにできる窪みPGPがあり、この各窪みの位置で長尺パイプAにピン穴PAPを重しＡGの個数だけ横に貫通し、又細い角棒ABと同じ幅の隙間PSを内径の縦にあけた内輪短尺パイプPは隙間PS内に細い角棒ABを入れた状態で長尺パイプAの外側面を上下にスライドし、その内輪短尺パイプPの外側面には左右対称に短尺丸棒NBを縦に配置し、この短尺丸棒NBは上端と下端それぞれに平たいピンNPを固定し、この短尺丸棒は上端の平たいピンNP先から下端の平たいピンNP先までの間隔を重しAG1個の縦の長さと同じにし、それは長尺パイプAの横に貫通させたピン穴PAPからピン穴PAPまでの縦の長さとも同じにし、その長さは内輪短尺パイプPの上端部と下端部にあけたピン穴PNPからピン穴PNPまでの縦の間隔とも同じ長さにし、この内輪短尺パイプPの上下両端それぞれにあけたピン穴PNPの周りをコの字形の金物NPKで囲ってコの字形の金物NPKを内輪短尺パイプPに固定し、このコの字形の金物NPKが囲う囲いの中に短尺丸棒NBの上端と下端の平たいピンNPそれぞれの先を密接に入れて可動自在に配置した。
【００２１】
両端に平たいピンNPを固定した短尺丸棒NBを外側面の左右に1本ずつ配置した内輪短尺パイプPの全てを外輪短尺パイプMは内径内に入れ、入れた外輪短尺パイプMの下端面に下蓋MFをしてネジ止めし、その下蓋MFと外輪短尺パイプMの外周の形状は均等に凹凸にして片手で掴んで回しやすくし、その外輪短尺パイプMの上端面にも上蓋MFFをネジ止めし、上蓋MFFの外周は円形で1ヶ所だけは凹部分MYAに削除し、この凹部分MYAにはまる凸部分MYTを付けた円形板MYは上蓋MFFの上に重ね置いた状態にし、この凸部分MYTを付けた円形のストッパー板MYの内径に固定した短尺パイプ部分PPには縦に隙間PSSを付け、この隙間PSSに長尺パイプAの縦に付けた細い角棒ABが嵌り円形のストッパー板MYは長尺パイプAの外側面を上下にスライドし、又平たいピンNPの先を長尺パイプAのピン穴PAPに合わせて外輪短尺パイプMを半回転まわすと円形板MYの下面に付いた凸部分MYTは止め金具のように外輪短尺パイプMの上蓋MFFの凹部分MYAに嵌り落ちて外輪短尺パイプMは半回転で止まり、止まる事で外輪短尺パイプMは振動等でゆるんだり回したりする事ができなくなる、しかし凸部分MYTを親指UBで上に押し上げると止め金具が外れたように外輪短尺パイプMを半回転元の位置に回す事ができ、外輪短尺パイプMを回して元の位置にまでもどすと長尺パイプAの外側面を上下にスライドできるようになる、又外輪短尺パイプMの内径面には半周分の長さの湾曲したクサビNを2本ずつ対称位置に内径面に固定し、その外輪短尺パイプMを半周回すと外輪短尺パイプMの内面に固定したクサビNの分厚い箇所が内輪短尺パイプPの外側面に配置した短尺丸棒NBに当って内輪短尺パイプPの中心方向に押されるようになり、それは押された短尺丸棒NBの上下両端の平たいピンNPの先が内輪短尺パイプPのピン穴PNPと長尺パイプAのピン穴PAPと面取りした各重しAGの重なる外周にできる窪みPGPとに突き入り、突き入った平たいピンNP4本がー定の位置で止まっている各重しAGの内で1個の上下左右の4箇所を挟むように突き入って固定する事であり、この固定した1個の重しAGから下に位置する各重しAGの重さの総重量が頚部を牽引する牽引力とした。    
【００２２】
異形平角管K内の長手方向の両端にベアリング4Rを嵌めたボールネジ1Rを配置し、このボールネジ1Rのー端を異形平角管から出した箇所にノブKNを取り付けし、このボールネジ1Rを移動枠R内のナツト部分RNにネジ入れ、そのノブKNを回してボールネジ1Rが回ると移動枠Rは異形平角管K内の底板の上を先端方向に移動し、移動する移動枠Rは内部に外輪溝付きリング3Rを回転自在に固定し、又異形平角管K内の上板には固定枠1Kを固定し、この固定枠1K内の外輪溝付きリング3RKの溝と移動枠R内の外輪溝付きリング3Rの溝との間を上下する位置の牽引糸Fは移動する外輪溝付きリング3Rの溝に引っかかったまま異形平角管K内を先端方向に移動し、移動した牽引糸Fは異形平角管Kの底板の長手方向にあけた隙間から下がり患者が装着する装着用具KFに角度を有して接続し、角度を有した牽引糸FはパイプシャフトVを回すと患者の頭上で輪を描いて旋回するようにした牽引糸Fの牽引角度調節方法。
【００２３】
スピードコントロールギアモーターDは短尺保持パイプAHの外径に固定した板AHPにボルトAHBで取り付けし、このスピードコントロールギアモーターDの出力軸をアーム基盤Eにあけた軸穴に下から入れてアーム基盤Eの盤上に出し、出した出力軸に平歯車DHを水平に取り付けし、このアーム基盤Eの盤上に隣接する二つの大口径短尺パイプXを配置し、この二つの大口径短尺パイプXそれぞれの内径にベアリングSJB（超薄肉形球軸受）を嵌め入れ、この二つのベアリングそれぞれの内径に中口径短尺パイプEDを嵌め入れ、この二つの中口径短尺パイプEDそれぞれをアーム基盤Eの盤上に固定し、これらアーム基盤E全体を包むプラスチックカバーEKCはアーム基盤Eにあけたネジ穴Eにネジで止めてある。
【００２４】
二つの隣接する大口径短尺パイプXそれぞれの外径の下端に固定するリングギヤSとSの歯車を互いにかみ合わせる事二つの歯車は右回転と左回転になり、その大口径短尺パイプXの下端のリングギヤSとSのうちの一つを出力軸に取り付けた平歯車DHにかみ合わす事で動力を伝達し、又大口径短尺パイプXの外径それぞれの上端に固定するリングギヤJとJの外周それぞれを175度以下の角度範囲に歯を付け、この二つのリングギヤJとJを互いに歯車がかみ合えない角度の位置に取り付けし、この互いに逆回転してかみ合えないリングギヤJとJの間に位置させて二つの歯車にかみ合わせる小さい平歯車QHは右回転と左回転をする歯車に交互にかみ合わさって小さい平歯車は右回転と左回転を交互に繰り返すようになり、この小さい平歯車QHと同じ回転軸Yに取り付けてあるスプロケットQも右回転と左回転を交互に繰り返す事になる。    
【００２５】
スプロケットQの回転軸Yの下端に嵌めるベアリングユニットYBはアーム基盤Eの盤上にボルトで固定し、回転軸Yの上端に嵌めるベアリングユニットYBも補強アングルLにボルトで固定し、又スプロケットQにからまるチエーンQTはアーム基盤Eの先端部分に垂直に固定した短尺パイプH内のパイプシャフトVを回転軸にするスプロケットQQにからめて動力を伝達し、このパイプシャフトVの下端面には異形平角管Kを固定し、固定する箇所は異形平角管Kの端部分の上板に固定しているのでパイプシャフトVを回すと異形平角管Kの先端は患者の頭上で輪を描くように旋回する。
【００２６】
異形平角管KのノブKWを回して牽引糸Fの牽引角度をゼロの位置にして患者の頚部に牽引糸Fの付いた頚部装着用具FYを装着し、さらに足踏み板Bを踏んで足踏み板と天秤の多数の重しAGの最上端を短尺平角管Cの下端に当てて各重しAGをー定の位置に整列停止させ、次に外輪短尺パイプMを患者に最適な牽引力数値を書いたピン穴PAPの位置にスライドさせて外輪短尺パイプMを半回転し、半回転させる事で外輪短尺パイプM内の平たいピン4本は1個の重しAGを上下左右の4箇所で突き刺し、その1個の重しAGを長尺パイプA内に固定し、固定した1個の重しAGから下に位置する各重しAGの総重量が頚部を牽引し、牽引した状態でスピードコントローラーのつまみを最低回転速度の位置にし、その状態でスイッチEECをONにするとスピードコントロールギアモーターDの出力軸は左回転し、この出力軸に固定した左回転する小さな平歯車DHとかみ合う大口径短尺パイプの下端のリングギャSは右回転し、この下端のリングギャSと同じ大きさで歯車がかみ合う下端のリングギャSは左回転し、この二つのリングギャの上端それぞれにもリングギャJとJを固定し、このJとJのリングギヤは外周の歯が175度以下の角度の範囲だけに付けてあり互いに右回転と左回転をしながらも歯車はかみ合わない位置にしてあり、このかみ合わない二つのリングギャJとJとの谷間に位置して歯車をかみ合わせる平歯車QHは右回転のリングギヤJと左回転のリングギヤJに交互に歯車がかみ合うようになり平歯車QHは左回転と右回転を交互に繰り返すようになる、又この平歯車QHの回転軸YにはスプロケットQも固定してあり、このスプロケットQにからまるチエーンQTは短尺パイプH内のスプロケットQQにからまり、このスプロケットQQの回転軸であるパイプシャフトVと異形平角管Kとはスピードコントロールギアモーターの回転で右旋回と左旋回を繰り返し、その旋回速度はモーターが可動中でも理学療法士はスピードコントローラーのつまみを回して旋回速度を変える事は可能であり、頚部を牽引中に理学療法士はノブKWを回して牽引角度を変える事も可能であり、又各重しAGと天秤糸FTでつながる足踏み板Bを踏む事で各重しAGは上に引き上げられて重しAGの牽引力を解除し、又ノブKWを回して牽引角度を調節し牽引糸Fを頭上で右旋回と左旋回を交互に繰り返えしができるようにした電動頚部牽引機。
【符号の説明】
【００２７】
TSG    円形の床板
APS    円形の床板を内径内に収めたー定の幅のリング
AP      ―定の幅のリングに直立したパイプ
A        長尺パイプ
AS      長尺パイプを固定する下端の金物部分
ASN    長尺パイプを固定する下端のネジ
B        足踏み板
BP      足踏み板の内径に固定した縦溝を有する短尺パイプ
FT      天秤糸
BT      杖
BTP    足踏み板に直立に固定したパイプ
BTT    杖に手をあてがう部分
AB      長尺パイプの外側面に垂直に固定した細い角棒
C        短尺平角管
M        外輪短尺パイプ
CK      短尺平角管のプラスチックキャップ
CM      外輪溝付きリング
CMB    外輪溝付きリングの軸棒
F        牽引糸
FF      −定の加重で切れる糸
FK      頚部装着金具
FY      装着帯
FU      頚部調節帯
EE      電気のコード
EEC    旋回速度を調整するコントローラーの付いたスイッチ
EK      アーム基盤のカバー
P        内輪短尺パイプ
PT      内輪短尺パイプの上端と下端の外径に付けたリング
NPK    内輪短尺パイプにあけた角形のピン穴を囲うコの字形の金物
PNP    内輪短尺パイプにあけた角形のピン穴
PS      内輪短尺パイプの縦にあけた隙間
NB      両端に平たいピンを固定した小さい棒
NBR    両端に平たいピンを固定した小さい棒の外周を覆う摩擦軽減パイプ
NP      平たいピン
N        外輪短尺パイプの内径の半周分より短い長さの湾曲したクサビ
MF      外輪短尺パイプの下端面にネジで止めた下蓋
MFF    外輪短尺パイプの上端面にネジで止めた上蓋
MFA    蓋のネジ穴
MＹ    外輪短尺パイプが回るのを止める円形状のストッパー板
MYT    ストッパー板の凸部分
MYA    ストッパー板の凸部分がおさめる上蓋の凹部分
PAP    長尺パイプの側面を横に貫通した平たいピンの角穴
AG      重し
PGP    面取りした重しの重なりにできる窪み
QT      チエーン
QTU    チエーンのたれを受ける台
Y        回転軸
YB      角形ベアリングユニット
Q        回転軸に固定したスプロケット
QQ      パイプシャフトを軸にしたスプロケット
V        パイプシャフト
K        異形平角管
KW      ノブ
1K      異形平角管内の天井に固定した固定枠
3RK      固定枠内の外輪溝付きリング
R        異形平角管内の底板の上をボールネジで移動する移動枠
3R      移動枠内の外輪溝付きリング
2R      移動枠の下面にはめ入れたクロスウエイの小球
4R      異形平角管内の長手方向の両端にはめ入れたベアリング
1R      ネジ（ボールネジ又は角ネジ）
RN      移動枠内のナツト部分
FK      頚部装着用具の吊り下げ金物
FY      頚部装着用具の紐
FU      頚部装着用具の留め紐
AH      アーム基盤を固定する保持パイプ
AHP    スピードコントロールギアモーターをネジで固定する板
D        スピードコントロールギアモーター
DH      スピードコントロールギアモーターの出力軸に固定した小さな平歯車
AHB    長尺パイプに保持パイプを固定するネジ
E      アーム基盤
EN    アーム基盤にあけたカバーを固定するネジ穴
H      アーム基盤の先端部分に垂直に固定した短尺パイプ
HK    短尺パイプの上端に位置する外輪溝付きリング
L      アーム基盤を補強する補強アングル
AHK   保持パイプの上端に位置する外輪溝付きリング
ED     中口径短尺パイプ
SJB    ベアリング（超薄肉形球軸受）
X       大口径短尺パイプ
S       リングギヤ
J        175度以下の角度範囲にだけ歯が付いているリングギヤ
Y        回転軸
QH      アーム基盤の盤上に直立する回転軸に固定した平歯車
YY      回転軸の上下両端に取り付けたベアリングユニット
YB      ベアリング
U        患者の足
UU      理学療法士の足
UB      親指
【図１】
0005215447.tif 000002
【図２】
0005215447.tif 000003
【図３】
0005215447.tif 000004
【図４】
0005215447.tif 000005
【図５】
0005215447.tif 000006
【図６】
0005215447.tif 000007
【図７】
0005215447.tif 000008
【図８】
0005215447.tif 000009
【図９】
0005215447.tif 000010
【図１０】
0005215447.tif 000011
【図１１】
0005215447.tif 000012
【図１２】
0005215447.tif 000013
【図１３】
0005215447.tif 000014
【図１４】
0005215447.tif 000015
【図１５】
0005215447.tif 000016
【図１６】
0005215447.tif 000017
【図１７】
0005215447.tif 000018
【図１８】
0005215447.tif 000019
【図１９】
0005215447.tif 000020
【図２０】
0005215447.tif 000021
【図２１】
0005215447.tif 000022
【図２２】
0005215447.tif 000023